(57)【要約】【課題】  色素が配合された水洗トイレ用芳香洗浄剤を使用した際、ＡＢＳ樹脂製の便器やロータンクの樹脂表面が芳香洗浄剤の色素で染着することのないＡＢＳ樹脂に対して安定な水洗トイレ用芳香洗浄剤を提供する。【解決手段】  ＡＢＳ樹脂を染着させない香料化合物から選ばれた少なくとも１種乃至２種以上を香料組成物全体の重量を基準として６０％以上含有することを特徴とする香料組成物を、色素が配合された水洗トイレ用芳香洗浄剤に配合する。【選択図】  なし【特許請求の範囲】
【請求項１】
色素を含有する水洗トイレ用芳香洗浄剤に配合される香料組成物であって、ＡＢＳ樹脂を染着させない香料化合物から選ばれた少なくとも１種乃至２種以上を香料組成物全体の重量を基準として６０％以上含有することを特徴とする香料組成物。
【請求項２】
下記グループから選ばれた少なくとも１種乃至２種以上の香料化合物を配合する請求項１記載のＡＢＳ樹脂に安定な水洗トイレ用芳香洗浄剤用香料組成物。
アニスアルコール、ベンジルアルコール、シンナミックアルコール、シス−３−ヘキセノール、シトロネロール、ジヒドロミルセノール、ジメチルベンジルカルビノール、ジプロピレングリコール、ドデカノール、フェンキルアルコール、ゲラニオール、リナロール、３−メトキシ−３−メチルブタノール、ネロール、オクタノール、フェニルエチルジメチルカルビノール、２−フェニルエチルアルコール、３−（５−イソカンフィル）−シクロヘキサノール、２−メチル−４−（２，２，３−トリメチル−３−シクロペンテン−１−イル）−２−ブテン−１−オール、テルピネオール、テトラヒドロリナロール、ヘキサノール、２−ｔ−ブチルシクロヘキサノールなどのアルコール類；ジエチレングリコールモノエチルエーテル、セドリルメチルエーテル、１，３，４，６，７，８−ヘキサハイドロ−４，６，６，７，８，８−ヘキサメチルシクロペンタ−γ−２−ベンゾピラン、２，２，６−トリメチル−６−ビニルテトラヒドロピラン、リナロールオキサイド、オイゲノール、メチルオイゲノール、メチルチャビコール、ｐ−クレジルメチルエーテル、ローズオキサイド、２−フェニルエチルイソアミルエーテル、２，４，６−トリメチル−４−フェニル−１，３−ジオキサン、２−ブチル−４，４，６−トリメチル−１，３−ジオキサン、２−ブチル−４，５−ジメチルジヒドロピランなどのエーテル類；メチルノニルアセトアルデヒド、アミルシンナミックアルデヒド、α−ピペロニルプロパナール、ヘキシルシンナミックアルデヒド、ヒドロキシシトロネラール、ｐ−ｔｅｒｔ−ブチル−α−メチルヒドロシンナミックアルデヒド、４−（４−ヒドロキシ−４−メチルペンチル）−３−シクロヘキセン−１−カルボキシアルデヒドなどのアルデヒド類；アセチルセドレン、α−イオノン、β−イオノン、γ−メチルイオノン、α−ダマスコン、β−ダマスコン、δ−ダマスコン、カンファー、シス−ジャスモン、１，２，３，４，５，６，７，８−オクタヒドロ−２，３，８，８−テトラメチル−２−アセトナフトン、メントン、イソロンギフォラノン、４−ｔ−アミルシクロヘキサノンなどのケトン類；アリルシクロヘキシルプロピオネート、アリルヘプタノエート、アミルサリシレート、セドレニルアセテート、シス−３−ヘキセニルサリシレート、シトロネリルアセテート、ジエチルマロネート、ジエチルフタレート、ジヒドロテルピニルアセテート、エチルアセテート、エチルアセチルアセテート、エチルベンゾエート、エチルブチレート、エチル  ２−メチルブチレート、２−エトキシカルビニルトリシクロ［５．２．１．０＿２．６］デカン、アリルイソアミロキシアセテート、ゲラニルアセテート、メチルジヒドロジャスモネート、ヘキシルベンゾエート、ヘキシルサリシレート、アリルシクロヘキシロキシアセテート、イソボルニルアセテート、イソアミルアセテート、イソノニルアセテート、４−アセトキシ−３−ペンチルテトラヒドロピラン、リナリルアセテート、２−ｔ−ブチルシクロヘキシルアセテート、ジメチルベンジルカルビニルアセテート、２−フェニルエチルフェニルアセテート、エチル２−メチル−１，３−ジオキソラン−２−アセテート、２−フェニルエチルブチレート、メチルフェニル���ルビニルアセテート、テルピニルアセテート、トリシクロデセニルアセテート、トリエチルシトレート、４−ｔ−ブチルシクロヘキシルアセテート、などのエステル類；γ−ウンデカラクトン、γ−デカラクトンなどのラクトン類；ゲラニルニトリル、シトロネラールニトリル、イソブチルキノリンなどの含窒素化合物類；リモネン、ジフェニルメタン、イソパラフィンなどの炭化水素類；アルモアズ油、シダーリーフ油、シダーウッド油、シトロネラ油、エレミ油、ユーカリプタス油、ハッカ油、ラバンジン油、ラベンダー油、レモン油、ライム油、オレンジ油、パチュリ油、ペパーミント油、パインニードル油、スペアミント油、ホワイトタイム油、ローズマリー油などの天然精油類から選択される少なくとも１種の香料化合物。
【請求項３】
請求項１又は２記載の香料組成物を含有するＡＢＳ樹脂に安定な色素が配合された水洗トイレ用芳香洗浄剤。
【発明の詳細な説明】
【技術分野】
【０００１】
本発明は、ＡＢＳ樹脂に対して安定な香料化合物を色素含有水洗トイレ用芳香洗浄剤用香料組成物として配合することにより、水洗トイレのＡＢＳ樹脂仕様ロータンク樹脂表面への芳香洗浄剤の色素による染着を防止することができるＡＢＳ樹脂に安定な水洗トイレ用芳香洗浄剤用香料組成物に関する。
【背景技術】
【０００２】
従来、水洗トイレ用芳香洗浄剤として種々の製品が市販されており、消臭、マスキング及び芳香を目的として香料が使用され、また、洗浄効果の終点を容易に判別する手段や美観を目的として色素が使用されている。しかし、ＡＢＳ樹脂（アクリルニトリル／ブタジエン／スチレン共重合体）を使用した便器器具の消臭、洗浄、防汚などを目的として、色素が配合された水洗トイレ用芳香洗浄剤を使用した際、ＡＢＳ樹脂製の便器やロータンクの樹脂表面が芳香洗浄剤の色素で染着することがあり、問題となっている。また、ＡＢＳ樹脂を使用した便器器具、シンク、家具、ユニットバスなどの各種製品は、各種の香料に弱く、樹脂表面の光沢の喪失や浸食を起こすことが多く、清掃のために、通常の香料を配合した家庭用洗浄剤を、繰り返し使用すると香料を要因としたＡＢＳ樹脂の劣化が起こり問題となっている。
【発明の開示】
【発明が解決しようとする課題】
【０００３】
本発明の目的は、色素が配合された水洗トイレ用芳香洗浄剤を使用した際、ＡＢＳ樹脂製の便器やロータンクの樹脂表面が芳香洗浄剤の色素で染着することのないＡＢＳ樹脂に対して安定な水洗トイレ用芳香洗浄剤を提供することにある。
【課題を解決するための手段】
【０００４】
そこで、本発明者らは上記課題を解決するため鋭意検討を行った結果、ＡＢＳ樹脂に対して安定な水洗トイレ用芳香洗浄剤用香料組成物を、色素が配合された水洗トイレ用芳香洗浄剤に配合することにより、ＡＢＳ樹脂製の便器やロータンクの樹脂表面が芳香洗浄剤の色素で染着するという問題を解決することを見出し本発明を完成するに至った。
【０００５】
すなわち、ＡＢＳ樹脂への染着性に対する香料の影響について、単品香料と色素及びトイレ芳香洗浄剤基剤とを配合した試験製剤を溶解した水溶液に、トイレタンク用ＡＢＳ樹脂試験プレートを浸漬し、６０℃に加温して２４時間静置後、プレート片の染着度合いを評価する試験によりＡＢＳ樹脂への染着性に対する単品香料の影響を評価し、ＡＢＳ樹脂を染着させない香料化合物を見出し、これら香料化合物を特定割合で配合することによりＡＢＳ樹脂に対して安定な香料組成物を見出した。
【０００６】
従って、本発明は、色素を含有する水洗トイレ用芳香洗浄剤に配合される香料組成物であって、ＡＢＳ樹脂を染着させない香料化合物から選ばれた少なくとも１種乃至２種以上を香料組成物全体の重量を基準として６０％以上含有することを特徴とする香料組成物であり、さらに本発明は、下記グループから選ばれた少なくとも１種乃至２種以上の香料化合物を配合するＡＢＳ樹脂に安定な水洗トイレ用芳香洗浄剤用香料組成物。
アニスアルコール、ベンジルアルコール、シンナミックアルコール、シス−３−ヘキセノール、シトロネロール、ジヒドロミルセノール、ジメチルベンジルカルビノール、ジプロピレングリコール、ドデカノール、フェンキルアルコール、ゲラニオール、リナロール、３−メトキシ−３−メチルブタノール、ネロール、オクタノール、フェニルエチルジメチルカルビノール、２−フェニルエチルアルコール、３−（５−イソカンフィル）−シクロヘキサノール、２−メチル−４−（２，２，３−トリメチル−３−シクロペンテン−１−イル）−２−ブテン−１−オール、テルピネオール、テトラヒドロリナロール、ヘキサノール、２−ｔ−ブチルシクロヘキサノールなどのアルコール類；ジエチレングリコールモノエチルエーテル、セドリルメチルエーテル、１，３，４，６，７，８−ヘキサハイドロ−４，６，６，７，８，８−ヘキサメチルシクロペンタ−γ−２−ベンゾピラン、２，２，６−トリメチル−６−ビニルテトラヒドロピラン、リナロールオキサイド、オイゲノール、メチルオイゲノール、メチルチャビコール、ｐ−クレジルメチルエーテル、ローズオキサイド、２−フェニルエチルイソアミルエーテル、２，４，６−トリメチル−４−フェニル−１，３−ジオキサン、２−ブチル−４，４，６−トリメチル−１，３−ジオキサン、２−ブチル−４，５−ジメチルジヒドロピランなどのエーテル類；メチルノニルアセトアルデヒド、アミルシンナミックアルデヒド、α−ピペロニルプロパナール、ヘキシルシンナミックアルデヒド、ヒドロキシシトロネラール、ｐ−ｔｅｒｔ−ブチル−α−メチルヒドロシンナミックアルデヒド、４−（４−ヒドロキシ−４−メチルペンチル）−３−シクロヘキセン−１−カルボキシアルデヒドなどのアルデヒド類；アセチルセドレン、α−イオノン、β−イオノン、γ−メチルイオノン、α−ダマスコン、β−ダマスコン、δ−ダマスコン、カンファー、シス−ジャスモン、１，２，３，４，５，６，７，８−オクタヒドロ−２，３，８，８−テトラメチル−２−アセトナフトン、メントン、イソロンギフォラノン、４−ｔ−アミルシクロヘキサノンなどのケトン類；アリルシクロヘキシルプロピオネート、アリルヘプタノエート、アミルサリシレート、セドレニルアセテート、シス−３−ヘキセニルサリシレート、シトロネリルアセテート、ジエチルマロネート、ジエチルフタレート、ジヒドロテルピニルアセテート、エチルアセテート、エチルアセチルアセテート、エチルベンゾエート、エチルブチレート、エチル  ２−メチルブチレート、２−エトキシカルビニルトリシクロ［５．２．１．０＿２．６］デカン、アリルイソアミロキシアセテート、ゲラニルアセテート、メチルジヒドロジャスモネート、ヘキシルベンゾエート、ヘキシルサリシレート、アリルシクロヘキシロキシアセテート、イソボルニルアセテート、イソアミルアセテート、イソノニルアセテート、４−アセトキシ−３−ペンチルテトラヒドロピラン、リナリルアセテート、２−ｔ−ブチルシクロヘキシルアセテート、ジメチルベンジルカルビニルアセテート、２−フェニルエチルフェニルアセテート、エチル２−メチル−１，３−ジオキソラン−２−アセテート、２−フェニルエチルブチレート、メチルフェニル���ルビニルアセテート、テルピニルアセテート、トリシクロデセニルアセテート、トリエチルシトレート、４−ｔ−ブチルシクロヘキシルアセテート、などのエステル類；γ−ウンデカラクトン、γ−デカラクトンなどのラクトン類；ゲラニルニトリル、シトロネラールニトリル、イソブチルキノリンなどの含窒素化合物類；リモネン、ジフェニルメタン、イソパラフィンなどの炭化水素類；アルモアズ油、シダーリーフ油、シダーウッド油、シトロネラ油、エレミ油、ユーカリプタス油、ハッカ油、ラバンジン油、ラベンダー油、レモン油、ライム油、オレンジ油、パチュリ油、ペパーミント油、パインニードル油、スペアミント油、ホワイトタイム油、ローズマリー油などの天然精油類から選択される少なくとも１種の香料化合物であり、また更に本発明は、請求項１又は２記載の香料組成物を含有するＡＢＳ樹脂に安定な色素が配合された水洗トイレ用芳香洗浄剤である。
【０００７】
以下、本発明の香料組成物についてさらに詳細に説明する。
【発明の効果】
【０００８】
本発明のＡＢＳ樹脂に安定な水洗トイレ用芳香洗浄剤用香料組成物を配合した色素を含有する水洗トイレ用芳香洗浄剤は、ＡＢＳ樹脂製便器やロータンクの樹脂表面を芳香洗浄剤の色素で染着させることがなく、香料を要因としたＡＢＳ樹脂への染着が起こらないため、安心して使用することができるＡＢＳ樹脂に安定な水洗トイレ用芳香洗浄剤を提供することができる。
【発明を実施するための最良の形態】
【０００９】
本発明の香料組成物に使用される香料化合物としては、色素含有水洗トイレ用芳香洗浄剤に配合した際、配合色素によるＡＢＳ樹脂への染着を起こさせないＡＢＳ樹脂に対して安定な香料化合物をあげることができる。香料化合物としては、例えば、アニスアルコール、ベンジルアルコール、シンナミックアルコール、シス−３−ヘキセノール、シトロネロール、ジヒドロミルセノール、ジメチルベンジルカルビノール、ジプロピレングリコール、ドデカノール、フェンキルアルコール、ゲラニオール、リナロール、３−メトキシ−３−メチルブタノール、ネロール、オクタノール、フェニルエチルジメチルカルビノール、２−フェニルエチルアルコール、３−（５−イソカンフィル）−シクロヘキサノール、２−メチル−４−（２，２，３−トリメチル−３−シクロペンテン−１−イル）−２−ブテン−１−オール、テルピネオール、テトラヒドロリナロール、ヘキサノール、２−ｔ−ブチルシクロヘキサノールなどのアルコール類；ジエチレングリコールモノエチルエーテル、セドリルメチルエーテル、１，３，４，６，７，８−ヘキサハイドロ−４，６，６，７，８，８−ヘキサメチルシクロペンタ−γ−２−ベンゾピラン、２，２，６−トリメチル−６−ビニルテトラヒドロピラン、リナロールオキサイド、オイゲノール、メチルオイゲノール、メチルチャビコール、ｐ−クレジルメチルエーテル、ローズオキサイド、２−フェニルエチルイソアミルエーテル、２，４，６−トリメチル−４−フェニル−１，３−ジオキサン、２−ブチル−４，４，６−トリメチル−１，３−ジオキサン、２−ブチル−４，５−ジメチルジヒドロピランなどのエーテル類；メチルノニルアセトアルデヒド、アミルシンナミックアルデヒド、α−ピペロニルプロパナール、ヘキシルシンナミックアルデヒド、ヒドロキシシトロネラール、ｐ−ｔｅｒｔ−ブチル−α−メチルヒドロシンナミックアルデヒド、４−（４−ヒドロキシ−４−メチルペンチル）−３−シクロヘキセン−１−カルボキシアルデヒドなどのアルデヒド類；アセチルセドレン、α−イオノン、β−イオノン、γ−メチルイオノン、α−ダマスコン、β−ダマスコン、δ−ダマスコン、カンファー、シス−ジャスモン、１，２，３，４，５，６，７，８−オクタヒドロ−２，３，８，８−テトラメチル−２−アセトナフトン、メントン、イソロンギフォラノン、４−ｔ−アミルシクロヘキサノンなどのケトン類；アリルシクロヘキシルプロピオネート、アリルヘプタノエート、アミルサリシレート、セドレニルアセテート、シス−３−ヘキセニルサリシレート、シトロネリルアセテート、ジエチルマロネート、ジエチルフタレート、ジヒドロテルピニルアセテート、エチルアセテート、エチルアセチルアセテート、エチルベンゾエート、エチルブチレート、エチル  ２−メチルブチレート、２−エトキシカルビニルトリシクロ［５．２．１．０＿２．６］デカン、アリルイソアミロキシアセテート、ゲラニルアセテート、メチルジヒドロジャスモネート、ヘキシルベンゾエート、ヘキシルサリシレート、アリルシクロヘキシロキシアセテート、イソボルニルアセテート、イソアミルアセテート、イソノニルアセテート、４−アセトキシ−３−ペンチルテトラヒドロピラン、リナリルアセ���ート、２−ｔ−ブチルシクロヘキシルアセテート、ジメチルベンジルカルビニルアセテート、２−フェニルエチルフェニルアセテート、エチル２−メチル−１，３−ジオキソラン−２−アセテート、２−フェニルエチルブチレート、メチルフェニルカルビニルアセテート、テルピニルアセテート、トリシクロデセニルアセテート、トリエチルシトレート、４−ｔ−ブチルシクロヘキシルアセテート、などのエステル類；γ−ウンデカラクトン、γ−デカラクトンなどのラクトン類；ゲラニルニトリル、シトロネラールニトリル、イソブチルキノリンなどの含窒素化合物類；リモネン、ジフェニルメタン、イソパラフィンなどの炭化水素類；アルモアズ油、シダーリーフ油、シダーウッド油、シトロネラ油、エレミ油、ユーカリプタス油、ハッカ油、ラバンジン油、ラベンダー油、レモン油、ライム油、オレンジ油、パチュリ油、ペパーミント油、パインニードル油、スペアミント油、ホワイトタイム油、ローズマリー油などの天然精油類の香料化合物をあげるこどができる。
【００１０】
本発明の香料組成物の配合量は、上記香料化合物から選ばれる少なくとも１種ないし２種以上の香料化合物を、香料組成物全体の重量を基準として６０％以上配合することを特徴とし、好ましくは、７０重量％以上を配合することを特徴とする。
【００１１】
また、本発明の香料化合物以外の香料成分としては、ＡＢＳ樹脂に悪影響を及ぼさない範囲で、天然及び合成の広い範囲の香料を利用することができ、例えば、香料組成物の全体量に対して０〜４０重量％程度とすることができる。そのような香料の例としては、たとえば、２，６−ジメチル−２−ヘプタノール、メントール、ノナノール、フェニルプロピルアルコール、９−デセノール、ボルネオールなどのアルコール類；β−ナフトールメチルエーテル、エチル２−ナフチルエーテル、ジフェニルオキサイド、アネトール、メチルオイゲノールなどのエーテル類；シンナミックアルデヒド、アミルシンナミックアルデヒド、エチルバニリン、ヘキシルシンナミックアルデヒド、アルデヒドＣ−８、アルデヒドＣ−１０、トランス−４−デセナールなどのアルデヒド類；アセトアルデヒドエチルフェニルエチルアセタール、フェニルアセトアルデヒドジメチルアセタールなどのアセタール類；メチルフェニルケトン、ジヒドロペンタメチルインダノン、Ｌ−カルボン、ｐ−メチルアセトフェノン、メチルアミルケトンなどのケトン類；アミルサリシレート、ベンジルベンゾエート、ベンジルサリシレート、シス−３−ヘキセニルベンゾエート、シス−３−ヘキセニルサリシレート、ヘキシルベンゾエート、ヘキシルサリシレート、フェネチルフェニルアセテート、シンナミルアセテート、メチルベンゾエート、メチルアンスラニレートなどのエステル類などの香料化合物、その他香料化学総覧，１，２，３［奥田治著  廣川書店出版］、Ｐｅｒｆｕｍｅ  ａｎｄ  ｆｌａｖｏｒ  Ｃｈｅｍｉｃａｌｓ，１，２［Ｓｔｅｆｆｅｎ  Ａｒｃｔａｎｄｅｒ著］、合成香料［印藤元一著  化学工業日報社出版］などに記載の香料化合物をあげることができる。また、香料の溶剤として、ＡＢＳ樹脂に対して安定なジプロピレングリコール、イソパラフィン、ジエチレングリコールモノエチルエーテル、ジエチルフタレート、トリエチルシトレート、３−メチル−３−メトキシブタノールなどを用いることもできる。
【００１２】
本発明の香料組成物の水洗トイレ用芳香洗浄剤への配合割合は香料の種類などにより異なるが、一概にはいえないが、例えば、芳香洗浄剤の重量を基準として０．１〜４０重量％の範囲内を例示することができ、好ましくは、０．５〜３０重量％の範囲内を例示することができる。
【００１３】
本発明の芳香洗浄剤には、上記香料とともに、色素や界面活性剤などの当該分野において普通に用いられている物質であれば、何ら制限なく配合することができる。例えば、色素としては、洗浄効果、芳香効果などに影響を及ぼすことなく、且つ安定した色調をトイレ流水に付与できるものであれば、特に限定されないが、赤色系色素としては、例えば、赤色２号（アラマンス）、赤色３号（エリスロシン）、赤色１０２号（ニューコクシン）、赤色１０４号の（１）（フロキシンＢ）、赤色１０５号の（１）（ローズベンガル）、赤色１０６号（アシッドレッド）、赤色２０１号（リソールルビンＢ）、赤色２０５号（リソールレッド）、赤色２１３号（ローダミンＢ）、赤色２１４号（ローダミンＢアセテート）、赤色２１９号（ブリリアントレーキレッドＲ）、赤色２２７号（ファストアシッドマゲンタ）、赤色２３０号の（１）（エオシンＹＳ）、赤色２３０号の（２）（エオシンＹＳＫ）、赤色２３１号（フロキシンＢＫ）、赤色２３２号（ローズベンガルＫ）、赤色４０１号（ビオラミンＲ）、赤色５０３号（ポンソーＲ）、赤色５０４号（ポンソーＳＸ）、赤色５０６号（ファストレッドＳ）などを挙げることができ、好ましくは、赤色２号、赤色１０６号、赤色２１３号を挙げることができる。
【００１４】
青色系色素としては、例えば、青色１号（ブリリアントブルーＦＣＦ）、青色２号（インジゴカルミン）、青色２０２号（パテントブルーＮＡ）、青色２０３号（パテントブルーＣＡ）、青色２０５号（アルファズリンＦＧ）などを挙げることができ、好ましくは、青色１号、青色２号を挙げることができる。
【００１５】
他の系統の色素としては、例えば黄色４号（タートラジン）、黄色５号（サンセットイエローＦＣＦ）、黄色２０２号の（１）（ウラニン）、黄色２０２号の（２）（ウラニンＫ）、黄色２０３号（キノリンエローＷＳ）、黄色４０２号（ポーラエロー５Ｇ）、黄色４０３号の（１）（ポーラエローＳ）、黄色４０６号（メタニルエロー）、黄色４０７号（ライトイエロー３Ｇ）、緑色３号（ファストグリーンＦＣＦ）、緑色２０４号（ピラニンコンク）、緑色２０５号（ライトグリーンＳＦ黄）、緑色４０１号（ナフトールグリーンＢ）、緑色４０２号（ギネアグリーンＢ）、だいだい色２０５号（オレンジ）、だいだい色２０７号（エリスロシン黄ＮＡ）、だいだい色４０２号（オレンジ１）、かっ色２０１号（レジルシンブラウン）、黒色４０１号（ナフトールブルーブラック）、紫色４０１号（アリズロールパープル）などを挙げることができる。本発明の水洗トイレ用芳香洗浄剤に用いることができる色素としては、水溶性のものであれば特に制限されず、微妙な色調の変化を与える手段として該色素を任意に混合して調節することもできる。本発明において、色素の配合量は、芳香洗浄剤全量に対して１〜４０重量％配合することができ、好ましくは２〜２０重量％の範囲を例示することができる。
【００１６】
また、界面活性剤としては特に制限されず、通常に用いられているものであればよく、アニオン性界面活性剤、非イオン性界面活性剤及びカチオン性界面活性剤などのいずれも単独又は組み合わせて適宜選択して使用できる。これらの界面活性剤は、洗浄、殺菌、抗菌、分散などの効果があり、その使用目的により種類や配合量を調節すればよい。
【００１７】
該界面活性剤の中ではアニオン性界面活性剤及び非イオン性界面活性剤が好ましく、アニオン性界面活性剤としては、例えば、ミリスチン酸、ステアリン酸、パルミチン酸、ベヘニン酸、オレイン酸などの高級脂肪酸のカリウム、ナトリウム、モノエタノールアミン、ジエタノールアミン、トリエタノールアミン、アミノメチルプロパノールアミン酸などの塩、エーテルカルボン酸の上記塩アルカリ塩、Ｎ−アシルアミン酸の塩、Ｎ−アシルサルコン塩、高級アルキルスルホン酸塩などが挙げられ、非イオン界面活性剤としては、例えば、ポリオキシエチレンオクチルドデシルアルコール、ポリオキシエチレン−２−デシルテトラデシルアルコールなどのポリオキシエチレン−分岐アルキルエーテル、ポリオキシエチレン−オレイルアルコールエーテル、ポリオキシエチレンベヘニルアルコールエーテルなどのポリオキシエチレン−アルキルエーテル、ソルビタンモノイソステアレート、ソルビタンモノラウレートなどのソルビタンエステル、ポリオキシエチレン−ソルビタンモノオレエート、ポリオキシエチレン−ソルビタンモノイソステアレートなどのポリオキシエチレン−ソルビタンエステル、グリセリルモノオレエート、グリセリルモノステアートなどのグリセリン脂肪酸エステル、ポリオキシエチレン−グリセリルモノオレエート、ポリオキシエチレン−グリセリルモノミリステートなどのポリオキシエチレン−グリセリン脂肪酸エステル、ポリオキシエチレン−ジヒドロコレステロールエステル、ポリオキシエチレン−硬化ヒマシ油、ポリオキシエチレン−硬化ヒマシ油イソステアレートなどのポリオキシエチレン−硬化ヒマシ油脂肪酸エステル、ポリオキシエチレン−ノニルフェニルエーテルなどのポリオキシエチレン−アルキルフェニルエーテル、エチレングリコール−プロピレングリコールブロックポリマー、グリセリルイソステアリルエーテルなどのグリセリルエーテル、ポリオキシエチレン−グリセリルイソステアリルエーテルなどのポリオキシエチレン−グリセリルエーテル、ジグリセリルモノステアレート、デカグリセリルデカステアレートなどのポリグリセリン脂肪酸エステルなどが挙げられる。
【００１８】
また、その他の界面活性剤としては、ステアリルトリメチルアンモニウムクロライド、ジミリスチルジメチルアンモニウムクロライドなどのカチオン性界面活性剤、ラウリルアミノプロピオン酸ナトリウムなどのアミノ酸型界面活性剤、ラウリルジメチルアミノ酢酸ベタイン、ステアリルジメチルアミノ酢酸ベタインなどのベタイン型界面活性剤などが挙げられる。これらの界面活性剤は、製剤中に５〜９５重量％配合することができ、好ましくは，１０〜９０重量％の範囲を例示することができる。
【００１９】
さらに、目的に応じて酸性成分、殺菌剤、抗菌剤、ｐＨ調節剤、酵素、金属イオン封鎖剤、賦形剤、徐溶化剤、消臭剤、漂白剤、緩衝剤、脱塩剤、アルコール類、増粘剤、水などをあわせて配合することもできる。
【００２０】
本発明の水洗トイレ用芳香洗浄剤は、従来の水洗トイレ用芳香洗浄剤の製造方法を用いることができ、芳香洗浄剤配合成分を定法に従って混合することにより製造することができ、液状製剤又は固形状製剤のいずれでもよい。
【実施例】
【００２１】
以下実施例により本発明の実施の態様をさらに具体的に説明する。
【００２２】
［実施例１］ブルー基剤によるＡＢＳ樹脂への染着性に対する単品香料の影響についての評価
ブルー色素によるＡＢＳ樹脂への染着性に対する香料の影響について、ブルー色素を含有するトイレ芳香洗浄剤基剤に単品香料を下記処方で配合し、得られたブルー基剤単品香料試験製剤を用いて下記試験方法により評価した。
結果を表１〜２に示す。
尚、評価基準は以下の通りである。
Ａ  ：染着なし
Ｂ  ：ほぼ染着なし
Ｃ  ：染着
評価基準がＡ及びＢについては、問題のない範囲と判断し、ＡＢＳ樹脂への染着性に対して安定な香料化合物であると評価した。
ブルー基剤単品香料試験製剤の配合処方
単品香料                    ５
青色１号                  １０
ニューポールＴ−２４０Ｕ  ８５      
１００（Ｗｔ．％）
但し、
ニューポールＴ−２４０Ｕ：三洋化成工業製  トイレ芳香洗浄剤基剤
トイレタンク用ＡＢＳ樹脂試験プレート：宇部サイコン製  サイコラックＥＸ２１５
［試験方法１］
４０ｃｃの栓付きガラス瓶に賦香率５％のブルー基剤単品香料試験製剤５ｇを加え、これに非イオン水２０ｇを添加して一晩静置後、２ｃｍ×４ｃｍのトイレタンク用ＡＢＳ樹脂試験プレートを浸漬し、６０℃に加温して２４時間静置後、プレート片の染着度合いを肉眼にて評価する。
【００２３】
【表１】
2005206726.tif 000002
【００２４】
【表２】
2005206726.tif 000003
【００２５】
（評価１）
表１〜２より明らかなように、評価Ａ〜Ｂの単品香料を配合したブルー基剤単品香料試験製剤によるＡＢＳ樹脂への染着性はほとんどみられず、該単品香料はブルー基剤によるＡＢＳ樹脂への染着性に対し影響を与えない。
【００２６】
［実施例２］パープル基剤によるＡＢＳ樹脂への染着性に対する単品香料の影響についての評価
色素によるＡＢＳ樹脂への染着性に対する香料の影響について、パープル色素を含有するトイレ芳香洗浄剤基剤に単品香料を下記処方で配合し、得られたパープル基剤単品香料試験製剤を用いて下記試験方法により評価した。
結果を表３〜４に示す。
尚、評価基準は実施例１と同様に評価する。
パープル基剤単品香料試験製剤の配合処方
単品香料                    ５
青色１号                    ５
赤色１０６号                ５
ニューポールＴ−２４０Ｕ  ８５          
１００（Ｗｔ．％）
［試験方法２］
試験方法１のブルー基剤をパープル基剤として同様に試験し、プレート片の染着度合いを肉眼にて評価する。
【００２７】
【表３】
2005206726.tif 000004
【００２８】
【表４】
2005206726.tif 000005
【００２９】
（評価２）
表３〜４より明らかなように、評価Ａ〜Ｂの単品香料を配合したパープル基剤単品香料試験製剤は、ＡＢＳ樹脂への染着性はほとんどみられず、該単品香料はパープル基剤によるＡＢＳ樹脂への染着性に対し影響を与えない。
【００３０】
［実施例３］グリーン基剤によるＡＢＳ樹脂への染着性に対する単品香料の影響についての評価
グリーン色素によるＡＢＳ樹脂への染着性に対する香料の影響について、グリーン色素を含有するトイレ芳香洗浄剤基剤に単品香料を下記処方で配合し、得られたグリーン基剤単品香料試験製剤を用いて下記試験方法により評価した。
結果を表５〜６に示す。
尚、評価基準は実施例１と同様に評価する。
グリーン基剤単品香料試験製剤の配合処方
単品香料                    ５
青色１号                    ３
黄色４号                    ７
ニューポールＴ−２４０Ｕ  ８５          
１００（Ｗｔ．％）
［試験方法３］
試験方法１のブルー基剤をグリーン基剤として同様に試験し、プレート片の染着度合いを肉眼にて評価する。
【００３１】
【表５】
2005206726.tif 000006
【００３２】
【表６】
2005206726.tif 000007
【００３３】
［評価３］
表５〜６より明らかなように、評価Ａ〜Ｂの単品香料を配合したグリーン基剤単品香料試験製剤は、ＡＢＳ樹脂への染着性はほとんどみられず、該単品香料はグリーン基剤によるＡＢＳ樹脂への染着性に対し影響を与えない。
【００３４】
［実施例４〜６、比較例１〜２］水洗トイレ用芳香洗浄剤組成物によＡＢＳ樹脂への染着性に対する香料組成物の影響についての評価
各単品香料を配合した水洗トイレ用芳香洗浄剤用香料組成物の処方を表７に示す。該香料組成物を色素含有トイレ芳香洗浄剤基剤に配合して水洗トイレ用芳香洗浄剤組成物を製造し、試験方法４により該水洗トイレ用芳香洗浄剤組成物によるＡＢＳ樹脂への染着性に対する香料組成物の影響について評価した。なお、配合量は重量％である。
【００３５】
【表７】
2005206726.tif 000008
ただし、＊は、下記の通りである。
リメトール：ジボーダン−ルール社製商品名（２，２，６−トリメチル−６−ビニルテトラヒドロピラン）
ガラクソリド：１，３，４，６，７，８−ヘキサハイドロ−４，６，６，７，８，８−ヘキサメチルシクロペンタ−γ−２−ベンゾピラン
リグストラール：クエスト社製商品名（２，４−ジメチル−３−シクロヘキセンカルボアルデヒド）
ヒアシンス：フェニルアセトアルデヒド
実施例４〜６及び比較例１〜２で処方された香料組成物を下記表８のブルー色素含有水洗トイレ用芳香洗浄剤の配合処方、表９のパープル色素含有水洗トイレ用芳香洗浄剤の配合処方及び表１０のグリーン色素含有水洗トイレ用芳香洗浄剤の配合処方により各水洗トイレ用芳香洗浄剤組成物を製造する。
【００３６】
【表８】
2005206726.tif 000009
【００３７】
【表９】
2005206726.tif 000010
【００３８】
【表１０】
2005206726.tif 000011
【００３９】
［試験方法４］
表８〜１０に記載の配合量で各成分を加温下にてよく混合し、次いで、容器に流し込み、室温下に放置する。得られた水洗トイレ用芳香洗浄剤を、水洗トイレ貯水槽のＡＢＳ樹脂製手洗い部に設置し、通常の使用方法に従い１日２０回のトイレ流水を行い、１ヶ月後における貯水槽のＡＢＳ樹脂製手洗い部の染着状況を肉眼で目視し、その結果を下記表１１に示す。
【００４０】
［評価４］
尚、評価基準は以下の通りである。
Ａ  ：染着なし
Ｂ  ：ほぼ染着なし
Ｃ  ：染着
【００４１】
【表１１】
2005206726.tif 000012
【００４２】
表１１から明らかなように、本発明品となる実施例４〜６の香料組成物を含有した水洗トイレ用芳香洗浄剤組成物を使用した場合は、水洗トイレ貯水槽のＡＢＳ樹脂製手洗い部への染着はみられず、一方、比較例１〜２の香料組成物を含有した水洗トイレ用芳香洗浄剤組成物を使用した場合は、水洗トイレ貯水槽のＡＢＳ樹脂製手洗い部への染着がみられることから、本発明品の香料組成物は、ＡＢＳ樹脂に対して非常に安定であることがわかる。